(57)【要約】【課題】多室型空調機の室内機においては、暖房運転時圧縮機がＯＮであってもサーモＯＮ室内機とサーモＯＦＦまたは停止室内機が混在し、サーモＯＦＦまたは停止室内機の熱交換器への液冷媒溜まり込みを防ぐために、膨張弁を若干開けている。しかしながら膨張弁を微開とするために、室内熱交換器にホットガスが流れるため室内ファンが停止しているにも拘らず冷媒流通音が発生し、快適性が損なわれるという不具合を有していた。【解決手段】サーモＯＦＦまたは停止室内機の膨張弁を全閉とし、しかもサーモＯＦＦまたは停止室内機台数及び各室内機熱交温度を検知して所定時間毎に膨張弁を微開とすることで、サーモＯＦＦ室内機への冷媒溜まり込みを防ぐと共に冷媒流通音を抑制することができる。【選択図】図２
2007303696.tif 000002
【特許請求の範囲】
【請求項１】
１台の室外機と前記室外機に接続された複数台の室内機を有し、前記室内機のそれぞれに熱交換器と熱交温度検出手段と膨張弁とを備え、前記室内機のうちの少なくとも１台がサーモＯＮ状態で暖房運転中に、サーモＯＦＦ状態または停止状態の他の室内機の膨張弁開度を所定時間全閉状態で熱交温度を検出して比較し、そのうち最も低い温度となった室内機の膨張弁を所定開度だけ開くように制御することを特徴とする多室形空気調和機の運転制御方法。
【請求項２】
複数台の室内機のうちの少なくとも１台がサーモＯＮ状態で暖房運転中に、サーモＯＦＦ状態または停止状態の他の室内機の膨張弁開度が所定時間全閉状態で、前記室内機の吸込み空気温度及び熱交温度を検出し、前記吸込み空気温度と前記熱交温度との温度差が最も小さい室内機の膨張弁を所定開度だけ開くように制御することを特徴とする請求項１に記載の多室形空気調和機の運転制御方法。
【請求項３】
複数台の室内機のうちの少なくとも１台がサーモＯＮ状態で暖房運転中に、サーモＯＦＦ状態または停止状態の他の室内機の膨張弁開度が所定時間全閉状態で、前記室内機の膨張弁入口温度及び熱交温度を検出し、前記膨張弁入口温度と前記熱交温度との温度差が最も小さい室内機の膨張弁を所定開度だけ開くように制御することを特徴とする請求項１〜２に記載の多室形空気調和機の運転制御方法。
【請求項４】
複数台の室内機のうちの少なくとも１台がサーモＯＮ状態で暖房運転中に、サーモＯＦＦ状態または停止状態の他の室内機の膨張弁開度が所定時間全閉状態で、室外機の圧縮機の吐出温度を検出し、前記吐出温度が設定値を上回るとサーモＯＦＦまたは停止時間の一番長い室内機の膨張弁を所定開度だけ開くように制御することを特徴とする請求項１〜３に記載の多室形空気調和機の運転制御方法。
【請求項５】
複数台の前記室内機のうちの少なくとも１台がサーモＯＮ状態で暖房運転中に、サーモＯＦＦ状態または停止状態の室内機の膨張弁開度が所定時間全閉状態で、しかも前記サーモＯＦＦまたは停止状態の室内機台数を検出し、前記室内機台数が設定台数を上回るとサーモＯＦＦまたは停止時間の一番長い室内機の膨張弁を所定開度だけ開くように制御することを特徴とする請求項１〜４に記載の多室形空気調和機の運転制御方法。
【発明の詳細な説明】
【技術分野】
【０００１】
本発明は、多室形空気調和機の運転制御方法に関するものである。
【背景技術】
【０００２】
従来この種の多室形空気調和機の運転制御方法を図１２、図１３及び図１４に基づいて説明する（例えば、特許文献１参照）。図１２は多室形空気調和機の構成模式図で、室外機１と室内機２ａ〜６ａとは冷媒配管７と８により接続されている。ここで、室内機２ａがサーモＯＮ状態で暖房運転中に、室内機３ａ〜６ａとが運転停止またはサーモＯＦＦ状態であるとする。なお、サーモＯＮ状態とは、室内機に備えた室温センサー２ｅ〜６ｅがリモコン設定温度より低く、送風機が運転中で、暖かい空気で室内を暖房している状態を意味する。また、サーモＯＦＦ状態とは、室内機に備えた室温センサー２ｅ〜６ｅがリモコン設定温度より高く、送風機が停止中で、暖房していない状態を意味する。
【０００３】
このように室内機２ａだけが暖房運転を行った場合、室内機３ａ〜６ａの各々の膨張弁３ｂ〜６ｂが閉め切った状態では、熱交換器３ｃ〜６ｃ内に液冷媒が溜まりこんでしまい冷媒不足状態になってしまう。そこで、図１３のフローチャート、及び図１４のタイムチャートのように、停止中の熱交換器３ｃ〜６ｃの温度を熱交温度センサー３ｄ〜６ｄで検知して過冷却度を計算し、過冷却度が大きい場合は膨張弁を開く方向に制御し、過冷却度が小さい場合には閉じる制御を行うことで、液冷媒の溜まり込みを解消しながら膨張弁を流れる通過音を低減するというものである。
【特許文献１】特開平８−１２８７４７号公報
【発明の開示】
【発明が解決しようとする課題】
【０００４】
しかしながら、上記従来の構成では、個々の室内機で過冷却度を判断するので、複数台のサーモＯＦＦ室内機の膨張弁が一度に開弁する場合があり、このとき冷媒流通音が発生し、ユーザーに不快感を与えてしまう。
【０００５】
本発明は前記従来の課題を解決するもので、複数台のサーモＯＦＦまたは停止中の室内機のうち少なくとも１台の膨張弁を微開状態となるように制御することで、暖房運転中の冷凍サイクルが冷媒不足状態になることなく、特に寝室など静かな環境で送風機が停止中の室内機からの騒音を抑制することができる多湿形空気調和機の運転制御方法を提供することを目的とする。
【課題を解決するための手段】
【０００６】
前記従来の課題を解決するために本発明の多湿形空気調和機の運転制御方法は、暖房運転時において少なくとも１台がサーモＯＮ状態で運転中に、残りの複数台のサーモＯＦＦまたは停止中の室内機の膨張弁開度が所定時間全閉状態で、しかも前記各室内機の熱交温度を検出して前記各室内機熱交温度を比較し、最も低い温度となる室内機の膨張弁開度が微開状態とするものである。これによって、冷媒の溜まり込みを防ぎ、送風機が停止中の室内機からの騒音を抑制することができる。
【発明の効果】
【０００７】
本発明の多湿形空気調和機の運転制御方法は冷媒の溜まり込みを防ぎ冷媒不足になることなく室内機からの冷媒流通音を抑制することができる。
【発明を実施するための最良の形態】
【０００８】
第１の発明は、１台の室外機と前記室外機に接続された複数台の室内機を有し、前記室内機のそれぞれに熱交換器と膨張弁とを備え、前記室内機のうちの少なくとも１台がサーモＯＮ状態で暖房運転中に、サーモＯＦＦまたは停止状態の他の室内機の膨張弁開度を所定時間全閉状態で熱交温度を検出して比較し、そのうち最も低い温度となった室内機の膨張弁を所定開度だけ開くように制御することから、冷媒の溜まり込みを防ぎ冷媒不足になることなく室内機からの冷媒流通音を低減することが可能となる。
【０００９】
第２の発明は、特に第１の発明の運転制御方法を、暖房運転時において、複数台の室内機のうちの少なくとも１台がサーモＯＮ状態で暖房運転中に、残りの複数台のサーモＯＦＦまたは停止状態の室内機の膨張弁開度が所定時間全閉状態で、しかも前記各室内機の熱交温度と吸込み空気温度を検出し、前記各熱交温度と室内吸込み空気温度を比較し、その温度差が最も小さい室内機の膨張弁を所定開度だけ開くように制御することから、冷媒の溜まり込みを防ぎ冷媒不足になることなく室内機からの冷媒流通音を低減することが可能となる。
【００１０】
第３の発明は、特に第１の発明または第２の発明の運転制御方法を、暖房運転時において、複数台の室内機のうちの少なくとも１台がサーモＯＮ状態で暖房運転中に、残りの複数台のサーモＯＦＦまたは停止状態の室内機の膨張弁開度が所定時間全閉状態で、しかも前記各室内機の熱交温度と熱交入口温度を検出し、前記各熱交温度と熱交入口温度を比較し、その温度差が最も小さい室内機の膨張弁を所定開度だけ開くように制御することから、冷媒の溜まり込みを防ぎ冷媒不足になることなく室内機からの冷媒流通音を低減することが可能となる。
【００１１】
第４の発明は、特に第１〜第３のいずれか１つの発明の運転制御方法を、暖房運転時において、複数台の室内機のうちの少なくとも１台がサーモＯＮ状態で暖房運転中に、残りの複数台のサーモＯＦＦまたは停止状態の室内機の膨張弁開度が所定時間全閉状態で、しかも圧縮機の吐出温度を検出し、前記吐出温度が設定値を上回ると、サーモＯＦＦまたは停止時間の一番長い室内機の膨張弁を所定開度だけ開くように制御することから、冷媒の溜まり込みを防ぎ冷媒不足になることなく室内機からの冷媒流通音を低減することが可能となる。
【００１２】
第５の発明は、特に第１〜第４のいずれか１つの発明の運転制御方法を、暖房運転時において、複数台の室内機のうちの少なくとも１台がサーモＯＮ状態で暖房運転中に、残りの複数台のサーモＯＦＦまたは停止状態の室内機の膨張弁開度が所定時間全閉状態で、しかもサーモＯＦＦまたは停止状態の室内機台数を検出し、前記室内機台数が設定台数を上回ると、サーモＯＦＦまたは停止時間の一番長い室内機の膨張弁を所定開度だけ開くように制御することから、冷媒の溜まり込みを防ぎ冷媒不足になることなく室内機からの冷媒流通音を低減することが可能となる。
【００１３】
以下本発明の実施の形態について図面を参照して説明する。なお本実施の形態によって本発明が限定されるものではない。
【００１４】
（実施の形態１）
図１は発明の第１の実施の形態における多室形空調機の室内機接続模式図である。同図において、室内機１１、２１、３１、４１、５１は接続配管７、８により室外機１と接続されている。また室内機は其々膨張弁１２、２２、３２、４２、５２及び熱交換器１３、２３、３３、４３、５３、熱交温度センサー１４、２４、３４、４４、５４並びに吸込み空気温度センサー１５、２５、３５、４５、５５を備えている。暖房運転時は、冷媒は同図において矢印Ｒのように流れ、室内機のサーモがＯＮであればその室内機の膨張弁は全開となっている。
【００１５】
図２のフローチャート及び図３のタイムチャートにより、本発明の制御方法による室内機の膨張弁制御の動作を説明する。暖房運転開始後複数の接続室内機がサーモＯＮ状態で暖房中に、例えば室内機１１が先にサーモＯＦＦすると、室外機１の圧縮機１０の運転周波数は室内機１１の能力分に相当する周波数だけ低下させると同時にタイマーをスタートさせ、室内機１１の膨張弁１２を全閉とする。
【００１６】
その後引続き例えば室内機２１がサーモＯＦＦすると、圧縮機１０の運転周波数をさらに室内機２１の能力分に相当する周波数だけ低下させ、同時に室内機の膨張弁２２を全閉とする。その後タイマーが満了となると、室内機１１と２１の熱交温度Ｔｓ１とＴｓ２を比較し、Ｔｓ１≧Ｔｓ２のとき、室内機２１の膨張弁２２を少しだけ開けて微開とする。これはＴｓ２の方が低いと室内機２１の熱交換器２３に溜まる冷媒量が多いと判断し、膨張弁２２を若干開けることで冷媒を流して室外機１の方へ冷媒を回収するものである。このとき室内機１１の膨張弁１２は全閉の状態を維持するので、冷媒流通音は発生しない。
【００１７】
（実施の形態２）
図４のフローチャート及び図５のタイムチャートにより、本発明の他の制御方法による室内機の膨張弁制御の動作を説明する。暖房運転開始後複数の接続室内機がサーモＯＮ状態で暖房中に、例えば室内機１１が先にサーモＯＦＦすると、圧縮機１０の運転周波数は室内機１１の能力分に相当する周波数だけ低下させると同時にタイマーをスタートさせ、室内機１１の膨張弁を全閉とする。その後引続き室内機１２がサーモＯＦＦすると、圧縮機１０の運転周波数をさらに室内機２１の能力分に相当する周波数だけ低下させ、同時に室内機２１の膨張弁２２を全閉とする。
【００１８】
その後タイマーが満了となると、室内機１１の吸込み空気温度Ｔａ１と熱交温度Ｔｓ１から温度差ΔＴｓ１を算出し、また室内機２１の吸込み空気温度Ｔａ２と熱交温度Ｔｓ２から温度差ΔＴｓ２を算出し、温度差ΔＴｓ１とΔＴｓ２を比較し、ΔＴｓ１≧ΔＴｓ２のとき、室内機２１の膨張弁２２を少しだけ開けて微開とする。これは温度差ΔＴｓ２の方が低いと室内機２１の熱交換器２３に溜まる冷媒量が多いと判断し、膨張弁２２を若干開けることで冷媒を流して室外機１の方へ冷媒を回収するものである。このとき室内機１１の膨張弁１２は全閉の状態を維持するので、冷媒流通音は発生しない。
【００１９】
（実施の形態３）
図６のフローチャート及び図７のタイムチャートにより、本発明の他の制御方法による室内機の膨張弁制御の動作を説明する。暖房運転開始後複数の接続室内機がサーモＯＮ状態で暖房中に、例えば室内機１１が先にサーモＯＦＦすると、圧縮機１０の運転周波数は室内機１１の能力分に相当する周波数だけ低下させると同時にタイマーをスタートさせ、室内機１１の膨張弁１２を全閉とする。その後引続き室内機２１がサーモＯＦＦすると、圧縮機１０の運転周波数をさらに室内機２１の能力分に相当する周波数だけ低下させ、同時に室内機２１の膨張弁２２を全閉とする。
【００２０】
その後タイマーが満了となると、室内機１１の熱交入口温度Ｔｃ１と熱交温度Ｔｓ１から温度差ΔＴｃ１を算出し、また室内機２１の熱交入口温度Ｔｃ２と熱交温度Ｔｓ２から温度差ΔＴｃ２を算出し、温度差ΔＴｃ１とΔＴｃ２を比較し、ΔＴｃ１≧ΔＴｃ２のとき、室内機２１の膨張弁２２を少しだけ開けて微開とする。これは温度差ΔＴｃ２の方が低いと室内機２１の熱交換器２３に溜まる冷媒量が多いと判断し、膨張弁２２を若干開けることで冷媒を流して室外機の方へ冷媒を回収するものである。このとき室内機１１の膨張弁１２は全閉の状態を維持するので、冷媒流通音は発生しない。
【００２１】
（実施の形態４）
図８のフローチャート及び図９のタイムチャートにより、本発明の他の制御方法による室内機膨張弁制御の動作を説明する。暖房運転開始後複数の接続室内機がサーモＯＮ状態で暖房中に、例えば室内機１１が先にサーモＯＦＦすると、圧縮機１０の運転周波数は室内機１１の能力分に相当する周波数だけ低下させると同時に、室内機１１の膨張弁１２を全閉とする。その後引続き室内機２１がサーモＯＦＦすると、圧縮機１０の運転周波数をさらに室内機２１の能力分に相当する周波数だけ低下させ、同時に室内機２１の膨張弁２２を全閉とする。
【００２２】
その後圧縮機１０の周波数が不変で吐出温度Ｔｄ１が設定値を超えると、室内機１１のサーモＯＦＦ時間ｔ１と室内機２１のサーモＯＦＦ時間ｔ２を算出し、サーモＯＦＦ時間ｔ１とｔ２を比較し、ｔ１≧ｔ２のとき、室内機１１の膨張弁１２を少しだけ開けて微開とする。これはサーモＯＦＦ時間が長いと室内機１１の熱交換器１３に溜まる冷媒量が多いと判断し、膨張弁１２を若干開けることで冷媒を流して室外機１０の方へ冷媒を回収するものである。このとき室内機２１の膨張弁２２は全閉の状態を維持するので、冷媒流通音は発生しない。
【００２３】
（実施の形態５）
図１０のフローチャート及び図１１のタイムチャートにより、本発明の他の制御方法による室内機の膨張弁制御の動作を説明する。暖房運転開始後複数の接続室内機がサーモＯＮ状態で暖房中に、例えば室内機１１が先にサーモＯＦＦすると、圧縮機１０の運転周波数は室内機１１の能力分に相当する周波数だけ低下させると同時に、室内機１１の膨張弁１２を全閉とする。その後引続き室内機２１がサーモＯＦＦすると、圧縮機１０の運転周波数をさらに室内機２１の能力分に相当する周波数だけ低下させ、同時に室内機２１の膨張弁２２を全閉とする。
【００２４】
その後サーモＯＦＦ室内機の台数が設定台数（例えば２台）を超えると、室内機１１のサーモＯＦＦ時間ｔ１と室内機２１のサーモＯＦＦ時間ｔ２を算出し、ｔ１とｔ２を比較し、ｔ１≧ｔ２のとき、室内機１１の膨張弁１２を少しだけ開けて微開とする。これはサーモＯＦＦ室内機の台数が少ない場合は問題ないが、サーモＯＦＦ室内機の台数が増えるとサーモＯＦＦ時間の最も長い室内機１１の熱交換器１３に溜まる冷媒量が多いと判断し、膨張弁１３を若干開けることで冷媒を流して室外機１０の方へ冷媒を回収するものである。このとき室内機２１の膨張弁２２は全閉の状態を維持するので、冷媒流通音は発生しない。
【産業上の利用可能性】
【００２５】
以上のように、本発明にかかる多室形空気調和機の運転制御方法は、冷媒の溜まり込みを防ぎ冷媒不足になることなく室内機からの冷媒流通音を抑制することができるので、業務用、店舗用多室形空気調和機の冷媒流量制御等の用途にも適用できる。
【図面の簡単な説明】
【００２６】
【図１】本発明の第１の実施形態を示す空気調和機の室内機接続模式図
【図２】本発明の第１の実施形態を示す送風機制御方法のフローチャート
【図３】本発明の第１の実施形態を示す送風機制御方法のタイムチャート
【図４】本発明の第２の実施形態を示す送風機制御方法のフローチャート
【図５】本発明の第２の実施形態を示す送風機制御方法のタイムチャート
【図６】本発明の第３の実施形態を示す送風機制御方法のフローチャート
【図７】本発明の第３の実施形態を示す送風機制御方法のタイムチャート
【図８】本発明の第４の実施形態を示す送風機制御方法のフローチャート
【図９】本発明の第４の実施形態を示す送風機制御方法のタイムチャート
【図１０】本発明の第５の実施形態を示す送風機制御方法のフローチャート
【図１１】本発明の第５の実施形態を示す送風機制御方法のタイムチャート
【図１２】従来の空気調和機の室内機接続模式図
【図１３】従来の送風機制御方法のフローチャート
【図１４】従来の送風機制御方法のタイムチャート
【符号の説明】
【００２７】
１  室外機
７，８  接続配管
１０  圧縮機
１１，２１，３１，４１，５１  室内機
１２，２２，３２，４２，５２  膨張弁
１３，２３，３３，４３，５３  熱交換器
１４，２４，３４，４４，５４  熱交温度センサー
１５，２５，３５，４５，５５  吸込み空気温度センサー
【図１】
2007303696.tif 000003
【図２】
2007303696.tif 000004
【図３】
2007303696.tif 000005
【図４】
2007303696.tif 000006
【図５】
2007303696.tif 000007
【図６】
2007303696.tif 000008
【図７】
2007303696.tif 000009
【図８】
2007303696.tif 000010
【図９】
2007303696.tif 000011
【図１０】
2007303696.tif 000012
【図１１】
2007303696.tif 000013
【図１２】
2007303696.tif 000014
【図１３】
2007303696.tif 000015
【図１４】
2007303696.tif 000016